(57)【要約】【課題】複数の光アダプタを本体ケースの前面の一方向に隣接した状態で配設して取り付けて、前記一方向の長さを最小限に押さえる。【解決手段】光配線箱１は、ケース本体１９の一方向の両端面と複数の光アダプタ３のうちの両端の光アダプタ３の前記一方向の外面を面一となるように、前記ケース本体１９に前記複数の光アダプタ３を収納する構成であるので、ケース本体１９の一方向の長さを複数の光アダプタ３の前記一方向の長さと同じにして最小限に押さえることができる。その結果、従来では、規格化された光モジュールラックと光配線箱１が微妙な差で装着できない場合でも、所望の光アダプタ３を複数個収納した光配線箱１が光モジュールラックに装着可能となる。【選択図】図１
2005165158.tif 000002
【特許請求の範囲】
【請求項１】
複数の光アダプタをケース本体の前面の一方向に隣接した状態で配設して取付ける光配線箱において、
前記ケース本体の前記一方向の両端面と前記複数の光アダプタのうちの両端の光アダプタの前記一方向の外面とが面一となるように、前記ケース本体に前記複数の光アダプタを収納する構成であることを特徴とする光配線箱。
【請求項２】
前記ケース本体の前面に、前記複数の光アダプタを前記一方向に隣接した状態で配列して取り付けるアダプタ取付部を設け、このアダプタ取付部の前記一方向の両端に、前記複数の光アダプタのうちの両端の光アダプタが前記ケース本体内に収納される部分を嵌合可能な切欠き部を設けると共にこの切欠き部がケース本体の両端面に貫通していることを特徴とする請求項１記載の光配線箱。
【請求項３】
前記光アダプタが、前記一方向と直交するＡ方向の両側に突出する取付部を備え、
前記ケース本体が、前記光アダプタの両側の取付部のＡ方向の全長とほぼ同じ幅寸法を有すると共に、このケース本体の前記幅寸法を有する前面に、前記複数の光アダプタを前記一方向に隣接した状態で配列して挿入するアダプタ装着穴部と、このアダプタ装着穴部の前記Ａ方向の両側に前記複数の光アダプタの両側の取付部を前記一方向に隣接した状態で配列して突き当てるアダプタ突当て部と、このアダプタ突当て部に突き当てられた前記複数の光アダプタの両側の取付部を前記一方向に亘って押さえて固定する押え部材と、から構成していることを特徴とする請求項１又は２記載の光配線箱。
【請求項４】
前記押え部材の表面側に、前記複数の各光アダプタに対応する線番表示を設けていることを特徴とする請求項３記載の光配線箱。
【請求項５】
前記押え部材を、前記複数の光アダプタの取付部のうちの一又は複数箇所の位置で固定具を介して前記アダプタ突当て部に固定することを特徴とする請求項３又は４記載の光配線箱。
【請求項６】
前記押え部材を、前記複数の光アダプタの取付部の前記一方向の両外側の位置で固定具を介して前記アダプタ突当て部に固定することを特徴とする請求項３又は４記載の光配線箱。
【発明の詳細な説明】
【技術分野】
【０００１】
この発明は、光配線箱に関し、特に複数の光アダプタを一方向に並列に配設して本体ケースの前面に取り付けると共に本体ケースの一方向の長さを最小限に押さえるための光配線箱に関する。
【背景技術】
【０００２】
従来、加入者系と局内との光ケーブルを接続するために、光モジュールラック、光モジュール、光カプラモジュール、光スプリッタモジュール等で光接続可能とするための光ファイバ収納ケース、あるいは光アダプタ用ベースが開発されている（例えば、特許文献１及び特許文献２参照）。
【０００３】
光ファイバの接続形式としては、例えば、局内の光ケーブルから単心光ファイバに分岐して、各単心光ファイバの先端が光コネクタにて成端され、この成端した光コネクタが光ファイバ収納ケースの内側の光アダプタに接続される。一方、光ファイバ収納ケースの外側の光アダプタには、加入者側の単心光ファイバに成端された光コネクタが接続される（例えば、特許文献３参照）。なお、用途に応じて、光スプリッタやカプラなどの光部品が光ファイバの間に介設されることもある。
【０００４】
いずれにしても、以上のように、光ファイバ収納ケースは外部の光ファイバが光コネクタ及び光アダプタによって切り替え自在となっている。
【０００５】
図６及び図７（Ａ），（Ｂ），（Ｃ）を参照するに、一般的に、従来の光配線箱としての光ファイバ収納ケース１０１は扁平縦型であって、多数の光ファイバ収納ケース１０１が、例えば図８（Ａ），（Ｂ）に示されている光モジュールラック１０３の各収納部１０５に、各光ファイバ収納ケース１０１の横幅方向の側面を隣り合うように横並びに並べて収納され、各収納部１０５に備えた光配線箱取付部１０７に固定されてユニット化されるものである。すなわち、光モジュールラック１０３で光集合モジュールが構成されるものである。
【０００６】
上記の光ファイバ収納ケース１０１に装着される光アダプタ１０９は、図６及び図７（Ｃ）に示されているように当該光アダプタ１０９の中央部に、単心光ファイバ１１１の先端を成端した光コネクタ１１３を接続、抜脱可能なコネクタ差込穴１１５が設けられており、このコネクタ差込穴１１５の図６において左右の両側には光アダプタ１０９を光ファイバ収納ケース１０１に取り付けるための取付部１１７が突出されている。また、前記各取付部１１７には、光アダプタ１０９をネジ止めして固定するための固定具としての取付用ビス１１９を挿通するビス挿通孔（図示省略）が設けられている。
【０００７】
光ファイバ収納ケース１０１は、そのケース本体１２１がほぼ直方体をなす扁平縦型となっており、このケース本体１２１の前面には複数の光アダプタ１０９を取り付けるためのアダプタ取付板１２３が設けられており、このアダプタ取付板１２３には複数の光アダプタ１０９が図６において上下方向に隣接した状態で挿入するための図示しないアダプタ装着穴部が設けられている。
【０００８】
前記アダプタ装着穴部の両側には複数の光アダプタ１０９の両側の取付部１１７を図６において上下方向に隣接した状態で配列して突き当てるアダプタ突当て面が設けられている。さらに、前記アダプタ突当て面には上記の取付用ビス１１９を螺合するネジ孔（図示省略）が設けられている。したがって、複数の光アダプタ１０９が図６において上下方向に隣接した状態でアダプタ装着穴部に挿入されて複数の光アダプタ１０９の両側の取付部１１７がアダプタ突当て面に突き当てられると共に、各光アダプタ１０９はそれぞれ取付用ビス１１９を取付部１１７の２箇所のビス挿通孔に挿通してアダプタ突当て面にネジ止め固定される。
【０００９】
なお、図６及び図７（Ａ），（Ｂ），（Ｃ）では複数の光アダプタ１０９が取付用ビス１１９によりアダプタ突当て面にネジ止め固定されているが、他の固定方法としては、各光アダプタ１０９自体に備えられている板バネを利用することも行われている。つまり、光アダプタ１０９にはアダプタ装着穴部に挿入される側の対向する両側面に板バネが突設されており、光アダプタ１０９がアダプタ装着穴部に挿入されたときに前記板バネでアダプタ装着穴部の内壁面を押圧する反力により固定される。
【００１０】
また、アダプタ取付板１２３には、アダプタ突当て面の図７（Ｃ）において右外側に、複数の各光アダプタ１０９に対応する線番表示１２５を表示するためのスペース１２７が設けられている。さらに、アダプタ取付板１２３の図６及び図７（Ｃ）において上部には取付用ビス１２９を挿通するビス挿通孔（図示省略）が設けられている。
【００１１】
光ファイバ収納ケース１０１を光モジュールラック１０３に装着するときは、アダプタ取付板１２３が各収納部１０５の光配線箱取付部１０７に突き当てられると共に、取付用ビス１２９をアダプタ取付板１２３のビス挿通孔に挿通して光配線箱取付部１０７のネジ穴１３１にネジ止め固定される。
【００１２】
なお、上述した複数の各光アダプタ１０９には、図６に示されている光ファイバ収納ケース１０１の外側のコネクタ差込穴１１５の他に、光ファイバ収納ケース１０１の内部側にもコネクタ差込穴（図示省略）が設けられており、このコネクタ差込穴には、光ファイバ収納ケース１０１の内部に収納される単心光ファイバ１１１の先端に成端された光コネクタが接続される。
【特許文献１】特開２０００−２９２６４６号公報
【特許文献２】特開平１０−９０５２５号公報
【特許文献３】特開平８−２７１７６１号公報
【発明の開示】
【発明が解決しようとする課題】
【００１３】
ところで、光モジュールラック１０３は、図８（Ａ），（Ｂ）に示されているように、一般的に板材で直方体形状に形成されており、その外形寸法（外寸）が規格化されている。例えば、ＥＩＡ規格では１９インチラック〔図８（Ｃ）のラック幅寸法Ｗ０が１９インチ〕において、外寸高さＨ０が８８．１ｍｍである。したがって、光モジュールラック１０３の構成部材の板厚が１．２ｍｍである場合、内寸高さＨ１は８５．７ｍｍとなる。
【００１４】
一方、前述した光アダプタ１０９も規格化されており、図７（Ｃ）を参照するに、例えば９個のＳＣアダプタを用いて従来構造の光ファイバ収納ケース１０１Ａに装着してカプラモジュール（１×８分岐）とした場合は、光ファイバ収納ケース１０１の外寸高さＨ２が８６．６ｍｍとなる。
【００１５】
したがって、光モジュールラック１０３の内寸高さＨ１は８５．７ｍｍに対して光ファイバ収納ケース１０１Ａの外寸高さＨ２が８６．６ｍｍであるので、９個のＳＣアダプタを用いたカプラモジュール（１×８分岐）は光モジュールラック１０３に実装することができないという問題点があった。
【００１６】
そのために、従来では、１９インチラックに対しては、ＳＣアダプタより寸法が小さいＳ’Ｃ−２アダプタを用いてサイズダウンした別の光ファイバ収納ケース（光ファイバ収納ケース１０１と同じ構造）に収納し、この光ファイバ収納ケースで１９インチラックに実装することを余儀なくされている。
【００１７】
この発明は上述の課題を解決するためになされたものである。
【課題を解決するための手段】
【００１８】
この発明の光配線箱は、複数の光アダプタをケース本体の前面の一方向に隣接した状態で配設して取付ける光配線箱において、
前記ケース本体の前記一方向の両端面と前記複数の光アダプタのうちの両端の光アダプタの前記一方向の外面とが面一となるように、前記ケース本体に前記複数の光アダプタを収納する構成であることを特徴とするものである。
【００１９】
この発明の光配線箱は、前記光配線箱において、前記ケース本体の前面に、前記複数の光アダプタを前記一方向に隣接した状態で配列して取り付けるアダプタ取付部を設け、このアダプタ取付部の前記一方向の両端に、前記複数の光アダプタのうちの両端の光アダプタが前記ケース本体内に収納される部分を嵌合可能な切欠き部を設けると共にこの切欠き部がケース本体の両端面に貫通していることが好ましい。
【００２０】
この発明の光配線箱は、前記光配線箱において、前記光アダプタが、前記一方向と直交するＡ方向の両側に突出する取付部を備え、
前記ケース本体が、前記光アダプタの両側の取付部のＡ方向の全長とほぼ同じ幅寸法を有すると共に、このケース本体の前記幅寸法を有する前面に、前記複数の光アダプタを前記一方向に隣接した状態で配列して挿入するアダプタ装着穴部と、このアダプタ装着穴部の前記Ａ方向の両側に前記複数の光アダプタの両側の取付部を前記一方向に隣接した状態で配列して突き当てるアダプタ突当て部と、このアダプタ突当て部に突き当てられた前記複数の光アダプタの両側の取付部を前記一方向に亘って押さえて固定する押え部材と、から構成していることが好ましい。
【００２１】
この発明の光配線箱は、前記光配線箱において、前記押え部材の表面側に、前記複数の各光アダプタに対応する線番表示を設けていることが好ましい。
【００２２】
この発明の光配線箱は、前記光配線箱において、前記押え部材を、前記複数の光アダプタの取付部のうちの一又は複数箇所の位置で固定具を介して前記アダプタ突当て部に固定することが好ましい。
【００２３】
この発明の光配線箱は、前記光配線箱において、前記押え部材を、前記複数の光アダプタの取付部の前記一方向の両外側の位置で固定具を介して前記アダプタ突当て部に固定することが好ましい。
【発明の効果】
【００２４】
以上のごとき課題を解決するための手段から理解されるように、この発明によれば、多数の光配線箱を収納する光モジュールラックは外形寸法が規格化されており、光アダプタの外形寸法も規格化されているために、所望の光アダプタの複数個を収納した光配線箱が微妙な差で光モジュールラックに装着できない場合、この発明の光配線箱はケース本体の一方向の両端面と複数の光アダプタのうちの両端の光アダプタの一方向の外面とを面一とすることによって、ケース本体の一方向の長さを複数の光アダプタの一方向の長さと同じにして最小限に押さえることができるために、上記の所望の光アダプタの複数個を収納した光配線箱を光モジュールラックに装着可能となる。
【００２５】
また、アダプタ取付部の一方向の両端に、ケース本体の両端面に貫通する切欠き部を設けたので、複数の光アダプタのうちの両端の光アダプタが切欠き部に嵌合することによって、前記両端の光アダプタの一方向の外面とケース本体の両端面を面一にできる。
【００２６】
また、前記光アダプタが前記一方向と直交するＡ方向の両側に突出する取付部を備えている場合、この光アダプタの複数個を前記一方向に隣接した状態で配列してアダプタ装着穴部に挿入して両側の取付部がアダプタ突当て部に突き当てられた後に、複数の光アダプタの両側の取付部がそれぞれ押え部材により前記一方向の全長に亘って押さえて固定されるので、複数の光アダプタの取付作業が容易に且つ短時間で行うことができる。
【００２７】
しかも、上記の押え部材を固定具を用いて固定する箇所は、前記一方向の一又は複数箇所の少ない位置でよいので、簡単に行うことができる。
【００２８】
また、押え部材は少ない箇所で固定されるために、押え部材の表面に複数の各光アダプタに対応する線番表示を設けることができるので、ケース本体のＡ方向の幅寸法は光アダプタの両側の取付部のＡ方向の全長とほぼ同じ寸法にでき、薄型化を実現できる。しかも、この薄型モジュールの光配線箱であっても複数の光アダプタの線番表示を正面から視認することができる。したがって、この場合は、前記一方向の長さを最小限に押さえると共に前記一方向に直交するＡ方向も狭くできるという相乗効果がある。
【００２９】
光集合モジュールでは、光配線箱が薄型モジュールであるので、限られた範囲に、上記の光配線箱を増大して多数集合することができる。しかも、各光配線箱は複数の光アダプタの線番表示を正面から視認できるので、隣り合う光配線箱の間に間隔を設ける必要が無く、光配線箱を隣接した状態で配列することができる。結果として、光ファイバを高密度に収納することが可能となる。
【発明を実施するための最良の形態】
【００３０】
以下、この発明の実施の形態について図面を参照して説明する。
【００３１】
図１、図２及び図３（Ａ），（Ｂ），（Ｃ）を参照するに、この実施の形態に係る光配線箱１は扁平縦型であって、複数の光アダプタ３が装着されている。
【００３２】
上記の各光アダプタ３は、その中央部に、単心光ファイバ５の先端を成端した光コネクタ７を接続、抜脱可能なコネクタ差込穴９が設けられており、このコネクタ差込穴９の第１方向（図１において左右方向）の両側には光アダプタ３を光配線箱１に取り付けるための取付部１１が突出されている。また、前記各取付部１１には、光アダプタ３をネジ止めして固定するための固定具としての例えば取付用ビス１３を挿通するビス挿通孔１５が設けられている。
【００３３】
また、上記の各光アダプタ３には、図１に示されている光配線箱１の外側に位置するコネクタ差込穴９に対向する反対側、すなわち光配線箱１の内部側にもコネクタ差込穴（図示省略）が設けられており、このコネクタ差込穴には、光配線箱１の内部に収納される単心光ファイバ５の先端に成端された光コネクタ１７が接続される。
【００３４】
また、光配線箱１のケース本体１９はほぼ直方体をなす扁平縦型となっており、図３（Ｃ）に示されているように前記光アダプタ３の両側の取付部１１の第１方向の全長とほぼ同じ幅寸法を有している。また、このケース本体１９の前記幅寸法を有する前面には、複数の光アダプタ３が前記第１方向に直交する第２方向（図１において上下方向）に隣接した状態で並べられて取り付けられる構成であり、ケース本体１９の第２方向の寸法は、図２に示されているようにケース本体１９の上下面と、隣接した状態で複数の光アダプタ３のうちの上下面（両端の光アダプタ３の第２方向の外面）が面一となるように形成される。
【００３５】
そのために、ケース本体１９の上下面には第２方向の最上下の光アダプタ３の取付部１１より後部３Ａ（ケース本体１９に収納される側の部分）が嵌合可能な切欠き部２１が設けられている。
【００３６】
また、ケース本体１９の前面には複数の光アダプタ３を取り付けるためのアダプタ取付部２３を構成する左取付板２３Ｌ及び右取付板２３Ｒが設けられており、複数の光アダプタ３を前記第２方向に隣接した状態で挿入するためのアダプタ装着穴部２５が前記左、右取付板２３Ｌ，２３Ｒで形成される。しかも、アダプタ装着穴部２５の第２方向の両端は前記切欠き部２１によりケース本体１９の上下面に貫通する構成である。
【００３７】
また、前記左、右取付板２３Ｌ，２３Ｒには、アダプタ装着穴部２５の第１方向の両側に複数の光アダプタ３の両側の取付部１１を第２方向に隣接した状態で配列して突き当てるアダプタ突当て面２７が設けられている。
【００３８】
この実施の形態では、ケース本体１９は、板材を折曲げ成形した分割ケース１９Ａ，１９Ｂと、アダプタ取付部２３の図１において右側部分を構成する右取付板２３Ｒと、から構成される。なお、上記の右取付板２３Ｒは断面Ｌ字形状に折曲げされたものである。
【００３９】
また、分割ケース１９Ａはほぼ箱形形状であり、この箱形形状の前面（図１において左斜め下側）にはアダプタ取付部２３の図１において左側部分を構成する左取付板２３Ｌが折曲げ形成されている。さらに、分割ケース１９Ａの箱形形状の図１において上下には前記切欠き部２１の一部を構成する部分を備えた曲げ片２９が前記左取付板２３Ｌと隣接して直交するように設けられている。
【００４０】
また、分割ケース１９Ｂは、分割ケース１９Ａを被蓋する蓋部形状であり、この蓋部形状の図１において上下には前記切欠き部２１の一部を構成する部分を備えた曲げ片３１がほぼ直角に折曲げ形成されている。さらに、蓋部形状の図１において左側縁にはケース取付板３３が第１方向の外側に向けてほぼ直角に折曲げ形成されている。
【００４１】
また、上記のアダプタ突当て面２７に突き当てられた複数の光アダプタ３の両側の取付部１１は、押え板３５によりそれぞれ第２方向に亘って押さえて固定されるように構成されている。この実施の形態では、複数の光アダプタ３のうちの第２方向の両端側の２つの光アダプタ３の取付部１１の位置で、取付用ビス１３によってネジ止め固定されるように、上記のアダプタ突当て面２７には前記取付用ビス１３を螺合するための合計４つのネジ孔３７が設けられている。一方、各押え板３５は光アダプタ３の取付部１１の第１方向の長さとほぼ同じ幅寸法であり、隣接した状態で配列された複数の光アダプタ３の取付部１１の第２方向の全長とほぼ同じ長さ寸法であり、押え板３５の長手方向の両端側には、上記の取付用ビス１３を挿通可能な貫通孔３９が設けられている。
【００４２】
また、上記の押え板３５の表面には、複数の各光アダプタ３に対応する線番表示４１が設けられている。
【００４３】
さらに、ケース取付板３３は、図４に示されているように多数の光配線箱１を集合して光集合モジュールを構成するための光モジュールラック４３に装着する際に、光モジュールラック４３の光配線箱取付部４５に突き当ててネジ止め固定するものであり、ケース取付板３３の図１において上部には取付用ビス４７を挿通するビス挿通孔４９が設けられている。
【００４４】
図４（Ａ），（Ｂ）を参照するに、光モジュールラック４３は、一般的に板材で一端側に開口部を設けた直方体形状に形成されており、多数の光配線箱１を挿入して装着するための収納部５１が前記開口部に設けられており、各光配線箱１の横幅方向の側面を隣り合うように横並びに並べて収納され、ユニット化される構成である。すなわち、光モジュールラック４３で光集合モジュールが構成されるものである。
【００４５】
この実施の形態では光モジュールラック４３に１２箇所の収納部５１が設けられており、前記光配線箱取付部４５が各収納部５１に設けられている。また、光配線箱取付部４５にはケース取付板３３を固定するためのネジ穴５３が設けられている。したがって、各光配線箱１を光モジュールラック４３に装着するには、光配線箱１を収納部５１に挿入し、ケース取付板３３を光配線箱取付部４５に突き当て、取付用ビス４７をビス挿通孔４９に挿通してネジ穴５３にネジ止め固定する。
【００４６】
また、上記の光モジュールラック４３の外形寸法（外寸）は規格化されており、例えば、ＥＩＡ規格では１９インチラック（図４のラック幅寸法Ｗ０が１９インチ）において、外寸高さＨ０が８８．１ｍｍである。したがって、光モジュールラック４３の構成部材の板厚が１．２ｍｍである場合、内寸高さＨ１は８５．７ｍｍとなる。
【００４７】
上記構成により、ケース本体１９は、右取付板２３Ｒが分割ケース１９Ｂに取付用ビス５５により一体的にネジ止め固定され、分割ケース１９Ｂは例えば分割ケース１９Ａの内部に突設されたシャフト５７の先端のネジ穴に取付用ビス５９により一体的にネジ止め固定され、直方体をなす扁平縦型形状に組み立てられる。この組み立てられたケース本体１９の上下面には光アダプタ３の取付部１１より後部３Ａを嵌合可能な切欠き部２１が形成されると共に、ケース本体１９の前面には複数の光アダプタ３を挿入するためのアダプタ装着穴部２５が形成されることになる。
【００４８】
上記のケース本体１９に複数の光アダプタ３を装着するには、複数の光アダプタ３が図１において上下方向に互いに隣接した状態で配列してアダプタ装着穴部２５に挿入されて複数の光アダプタ３の両側の取付部１１がアダプタ突当て面２７に突き当てられた後に、２つの押え板３５が複数の光アダプタ３の両側の取付部１１の前方（図１において左斜め下側）の面に第２方向の全長に亘って押し当てられ、次いで取付用ビス１３が各押え板３５の長手方向の両端側の貫通孔３９、及び光アダプタ３の取付部１１のビス挿通孔１５に挿入されてアダプタ突当て面２７のネジ孔３７にネジ止めすることにより、複数の光アダプタ３の全体がアダプタ突当て面２７に固定されることとなる。
【００４９】
すなわち、アダプタ突当て面２７には４つの少数のネジ孔３７を設けるだけでよいので、ネジ孔加工の作業時間が短くて済むと共に、４つの取付用ビス１３でネジ止めするだけでよいので、複数の光アダプタ３をアダプタ突当て面２７に装着することが容易に短時間で完了する。
【００５０】
なお、上記の押え板３５を取付用ビス１３でネジ止めする箇所は、前述したように第２方向の両端側の光アダプタ３の取付部１１の位置に限らず、任意の光アダプタ３の取付部１１の位置であっても構わない。あるいは、複数の光アダプタ３の第２方向の長さのほぼ中央に位置する１つの光アダプタ３の取付部１１の位置で、押え板３５の長手方向のほぼ中央の１つの貫通孔３９を介して取付用ビス１３によりネジ止めしても構わない。あるいは、上記の光アダプタ３の取付部１１のビス挿通孔１５を用いずに、別途に例えばビス挿通孔を備えたブロックなどの介在部材を前記複数の光アダプタ３の第２方向の両外側に設け、前記介在部材に設けたビス挿通孔に取付用ビス１３を挿通して押え板３５をアダプタ突当て面２７にネジ止めしても構わない。
【００５１】
また、上記のように長い押え板３５により少数の取付用ビス１３でネジ止めするので、押え板３５の表面には複数の各光アダプタ３に対応する線番表示４１が設けられる。このように、線番表示４１が光アダプタ３のアダプタ差込穴９の両側に表示されるので、線番表示４１を正面から視認できる。
【００５２】
したがって、光配線箱１は、前述したように第２方向の長さを最小限に押さえることができると共に、ケース本体１９の第１方向の横幅が光アダプタ３の両側の取付部１１の第１方向の全長とほぼ同じ寸法にして第１方向も狭く、すなわち薄型化を実現できるという相乗効果がある。
【００５３】
なお、この実施の形態の光配線箱１は、光モジュール、パッチパネル、アダプタパネル等のように複数個のアダプタを連結させて固定する製品に幅広く適用されるものである。
【００５４】
以上のことから、第２方向に隣接した状態で並べられた複数の光アダプタ３がアダプタ装着穴部２５に挿入されるとき、前記複数の光アダプタ３のうちの最上下の光アダプタ３の後部３Ａがケース本体１９の切欠き部２１に嵌合するので、複数の光アダプタ３のうちの上下面はケース本体１９の上下面と面一となる。つまり、隣接した状態で並べられた複数の光アダプタ３の第２方向の全長と、ケース本体１９の上下面間の外寸高さＨ３〔図３（Ｃ）を参照〕とは同じ寸法になる。
【００５５】
光アダプタ３は種々の寸法に規格化されており、この実施の形態の光配線箱１に光アダプタ３として例えば９個のＳＣアダプタを装着してカプラモジュール（１×８分岐）とした場合は、１個のＳＣアダプタの高さが９．４ｍｍであるので９個のＳＣアダプタの高さ全長と図３（Ｃ）に示されている光配線箱１の外寸高さＨ３が同一の８４．６ｍｍとなる。
【００５６】
したがって、前述したようにＥＩＡ規格における１９インチラックの光モジュールラック４３では内寸高さＨ１が８５．７ｍｍであるのに対して上記の光配線箱１の外寸高さＨ３が８４．６ｍｍであるので、９個のＳＣアダプタを用いたカプラモジュール（１×８分岐）が光モジュールラック４３に実装できることになる。
【００５７】
図４を参照するに、上記の９個のＳＣアダプタを実装した光配線箱１は、光モジュールラック４３の１２箇所の各収納部５１に挿入され、ケース取付板３３を光配線箱取付部４５に突き当ててから取付用ビス４７により各収納部５１のネジ穴５３にネジ止め固定される。１２個の光配線箱１が光モジュールラック４３の各収納部５１に各光配線箱１の扁平縦型の横幅方向の側面が隣り合うように、換言すれば第１方向に横並びに並べられて光集合モジュールが構成される。
【００５８】
なお、光集合モジュールでは、この実施の形態の光配線箱１が薄型モジュールであるので、限られた範囲の光モジュールラック内に上記の光配線箱を増大して多数集合できる。しかも、各光配線箱１は複数の光アダプタ３の線番表示４１を正面から視認できるので、隣り合う光配線箱１の間に間隔を設ける必要が無く、光配線箱１を隣接した状態で配列でき、光ファイバを高密度に収納することが可能である。
【００５９】
図５を参照するに、この実施の形態に係る光配線箱１を装着した光集合モジュールでは、例えば、局舎６１内の光ケーブル６３から単心光ファイバ５に分岐され、これらの各単心光ファイバ５の先端は光コネクタ７にて成端される。この成端した各光コネクタ７は光配線箱１の対応する光アダプタ３の図５において左側のアダプタ差込穴９（図１を参照）に差し込まれて接続される。光配線箱１のケース本体１９の内部では、光アダプタ３の図５において右側のアダプタ差込穴（図示省略）に他の光コネクタ１７が差し込まれている。各光コネクタ１７には単心光ファイバ５が成端されており、これらの各単心光ファイバ５はケース本体１９の図５において右側の光コネクタ６５に接続されている。
【００６０】
一方、光モジュールラック４３には光配線箱１の複数の光コネクタ６５と接続される複数の光アダプタ６７が設けられており、光配線箱１が取付用ビス４７（図１を参照）で光モジュールラック４３の収納部５１の光配線箱取付部４５に取り付けられるときに、各光コネクタ６５が対応する各光アダプタ６７に差し込まれて接続されるように構成されている。さらに、各光アダプタ６７には加入者側の単心光ファイバ５に成端された光コネクタ６９が接続、抜脱可能となっている。以上のように、光配線箱１は外部の光ファイバ５が光コネクタ７，６９及び光アダプタ３，６７によって切り替え自在となっている。
【図面の簡単な説明】
【００６１】
【図１】この発明の実施の形態の光配線箱の分解斜視図である。
【図２】図１を組み立てた状態の光配線箱の斜視図である。
【図３】この発明の実施の形態の光配線箱を示すもので、（Ａ）は平面図で、（Ｂ）は側面図で、（Ｃ）は正面図である。
【図４】この発明の実施の形態の光配線箱の多数を光モジュールラックに装着した状態を示すもので、（Ａ）は平面図で、（Ｂ）は正面図である。
【図５】この発明の実施の形態の光配線箱の多数を集合した光集合モジュールの接続状態を示す概略的な説明図である。
【図６】従来の光ファイバ収納ケースの斜視図である。
【図７】従来の光ファイバ収納ケースを示すもので、（Ａ）は平面図で、（Ｂ）は側面図で、（Ｃ）は正面図である。
【図８】一般的な光モジュールラックを示すもので、（Ａ）は平面図で、（Ｂ）は正面図である。
【符号の説明】
【００６２】
１  光配線箱
３  光アダプタ
３Ａ  後部
５  単心光ファイバ
７  光コネクタ
９  コネクタ差込穴
１１  取付部
１３  取付用ビス（固定具）
１５  ビス挿通孔
１７  光コネクタ
１９  ケース本体
１９Ａ，１９Ｂ  分割ケース
２１  切欠き部
２３  アダプタ取付部
２３Ｌ  左取付板（アダプタ取付部）
２３Ｒ  右取付板（アダプタ取付部）
２５  アダプタ装着穴部
２７  アダプタ突当て面
２９  曲げ片（分割ケース１９Ａの）
３１  曲げ片（分割ケース１９Ｂの）
３３  ケース取付板
３５  押え板
４１  線番表示
４３  光モジュールラック
４５  光配線箱取付部
４９  ビス挿通孔
５１  収納部
５３  ネジ穴
５９  取付用ビス
【図１】
2005165158.tif 000003
【図２】
2005165158.tif 000004
【図３】
2005165158.tif 000005
【図４】
2005165158.tif 000006
【図５】
2005165158.tif 000007
【図６】
2005165158.tif 000008
【図７】
2005165158.tif 000009
【図８】
2005165158.tif 000010